(57)【要約】【課題】チェックターミナルの端子部に代替計量器等のリード線を接続する際に、線間短絡を抑制することができると共に、作業性を向上することができるチェックターミナル端子部保護カバーを提供する。【解決手段】基板１３と、複数の端子板１４と、変成器用端子部１５と、電力計量器用端子部２０と、代替計量器用端子部２６と、接栓部３０と、を有するチェックターミナル端子部１２を保護するチェックターミナル端子部保護カバー４０は、保護カバー本体部４１と、変成器用端子部１５に対応する位置に開口された第１開口部４２と、電力計量器用端子部２０に対応する位置に開口された第２開口部４３と、代替計量器用端子部２６に対応する位置に開口された第３開口部４４と、接栓部３０に対応する位置に開口された第４開口部４５と、保護カバー本体部４１の一方の側面部に開口された第５開口部４６と、他方の側面部に開口された第６開口部４７と、を備える。【選択図】図３
2011082119.tif 000002
【特許請求の範囲】
【請求項１】
基板と、該基板上に並列に設けられた複数の端子板と、該端子板の一端側に設けられ変成器からのリード線が接続される変成器用端子部と、前記端子板の他端側に設けられ電力計量器からのリード線が接続される電力計量器用端子部と、前記端子板に設けられ代替計量器からのリード線が接続される代替計量器用端子部と、前記端子板における前記変成器用端子部と前記電力計量器用端子部との間に設けられ、該変成器用端子部と該電力計量器用端子部との導通を開通又は解除する接栓部と、を有するチェックターミナル端子部を保護するチェックターミナル端子部保護カバーであって、
絶縁材料からなる板状部材として構成され、前記チェックターミナル端子部の全体を覆うように前記基板に装着される保護カバー本体部と、
前記保護カバー本体部の厚み方向における該保護カバー本体部の上面に開口され、前記変成器用端子部に対応する位置に配置された第１開口部と、
前記保護カバー本体部の厚み方向における該保護カバー本体部の上面に開口され、前記電力計量器用端子部に対応する位置に配置された第２開口部と、
前記保護カバー本体部の厚み方向における該保護カバー本体部の上面に開口され、前記代替計量器用端子部に対応する位置に配置された第３開口部と、
前記保護カバー本体部の厚み方向における該保護カバー本体部の上面に開口され、前記接栓部に対応する位置に配置された第４開口部と、
前記変成器用端子部に連通するように前記保護カバー本体部における一方の側面に開口された第５開口部と、
前記電力計量器用端子部に連通するように前記保護カバー本体部における他方の側面に開口された第６開口部と、
を備えるチェックターミナル端子部保護カバー。
【請求項２】
前記代替計量器用端子部は、前記代替計量器からのリード線を挿入して接続するリード線挿入穴を、前記保護カバー本体部の厚み方向における前記変成器用端子部の上面及び前記電力計量器用端子部の上面よりも上方に位置するように有し、
前記保護カバー本体部は、該保護カバー本体部の厚み方向における上面の全体が前記リード線挿入穴よりも下方に位置するように構成される請求項１に記載のチェックターミナル端子部保護カバー。
【請求項３】
前記端子板は、細長く形成され、
前記代替計量器用端子部は、前記代替計量器からのリード線を挿入して接続するリード線挿入穴を、前記保護カバー本体部の厚み方向における前記変成器用端子部の上面及び前記電力計量器用端子部の上面よりも上方に位置するように有し、
前記保護カバー本体部は、前記端子板が延びる方向における該保護カバー本体部の端部の上面が前記リード線挿入穴よりも下方に位置するように構成される請求項１に記載のチェックターミナル端子部保護カバー。
【請求項４】
前記端子板は、細長く形成され、
前記チェックターミナル端子部は、隣接する前記端子板の長手方向の中心部同士を結ぶ中心線に対して対称となるように、前記変成器用端子部及び前記電力計量器用端子部を前記端子板に有すると共に、一対の前記代替計量器用端子部を前記端子板に有し、
前記第５開口部及び前記第６開口部は、前記保護カバー本体部の裏面側にも開口され、
前記保護カバー本体部は、該保護カバー本体部を前記中心線において二つ折り可能に構成するヒンジ部と、
前記端子板が延びる方向における前記保護カバー本体部の一端に設けられ前記第１開口部と連通する第１切り欠き部と、
前記端子板が延びる方向における前記保護カバー本体部の他端に設けられ前記第２開口部と連通する第２切り欠き部と、
を備える請求項２に記載のチェックターミナル端子部保護カバー。
【発明の詳細な説明】
【技術分野】
【０００１】
本発明は、電力会社等の電力供給業者側に設けられた変成器と、電力需要者側に設けられた電力計量器（高圧計量器）との間に接続されるチェックターミナルの端子部を保護するチェックターミナル端子部保護カバーに関する。
【背景技術】
【０００２】
従来より、高圧受電設備には、電力量を計量するための電力計量器（高圧計量器）が設置されている。高圧受電設備内には、電力会社等の電力供給業者側に設けられた変成器と、電力需要者側に設けられた電力計量器との間に接続されるチェックターミナルが設置されている。
【０００３】
電力計量器は、計量法により所定期間毎に交換することが義務付けられている。電力計量器を交換する場合は、交換作業中における無計量状態等が生じないようにするために、チェックターミナルに代替計量器を一時的に取り付けた状態で、古い電力計量器を新規な電力計量器に交換する。
【０００４】
代替計量器からのリード線をチェックターミナルに接続する方法として、チェックターミナルに設けられた試験用プラグ（試験リード用絶縁ねじ）のリード線取付用孔に代替計量器からのリード線（総計で７本の電流線及び電圧線）を挿入し、代替計量器とチェックターミナルとを電気的に接続する方法が開示されている（例えば、特許文献１参照）。
【先行技術文献】
【特許文献】
【０００５】
【特許文献１】特開２００７−１３２８５０号公報
【発明の概要】
【発明が解決しようとする課題】
【０００６】
しかし、代替計量器にはリード線として総計で７本の電流線及び電圧線が設けられており、このリード線を接続するチェックターミナル側の７つの端子部も密に配置されている。そのため、上記特許文献１に記載の接続方法では、代替計量器からのリード線の接続作業中に、隣接する接続対象外の端子部（露出した充電部）にリード線が接触し、短絡（線間短絡）を生じさせる虞がある。従って、作業者は、短絡を生じさせないように、細心の注意を払いながら多くの接続作業を行わなければならず、作業性がきわめて悪かった。
【０００７】
本発明は、チェックターミナルの端子部に代替計量器等のリード線を接続する際に、線間短絡を抑制することができると共に、作業性を向上することができるチェックターミナル端子部保護カバーを提供することを目的とする。
【課題を解決するための手段】
【０００８】
本発明は、基板と、該基板上に並列に設けられた複数の端子板と、該端子板の一端側に設けられ変成器からのリード線が接続される変成器用端子部と、前記端子板の他端側に設けられ電力計量器からのリード線が接続される電力計量器用端子部と、前記端子板に設けられ代替計量器からのリード線が接続される代替計量器用端子部と、前記端子板における前記変成器用端子部と前記電力計量器用端子部との間に設けられ、該変成器用端子部と該電力計量器用端子部との導通を開通又は解除する接栓部と、を有するチェックターミナル端子部を保護するチェックターミナル端子部保護カバーであって、絶縁材料からなる板状部材として構成され、前記チェックターミナル端子部の全体を覆うように前記基板に装着される保護カバー本体部と、前記保護カバー本体部の厚み方向における該保護カバー本体部の上面に開口され、前記変成器用端子部に対応する位置に配置された第１開口部と、前記保護カバー本体部の厚み方向における該保護カバー本体部の上面に開口され、前記電力計量器用端子部に対応する位置に配置された第２開口部と、前記保護カバー本体部の厚み方向における該保護カバー本体部の上面に開口され、前記代替計量器用端子部に対応する位置に配置された第３開口部と、前記保護カバー本体部の厚み方向における該保護カバー本体部の上面に開口され、前記接栓部に対応する位置に配置された第４開口部と、前記変成器用端子部に連通するように前記保護カバー本体部における一方の側面に開口された第５開口部と、前記電力計量器用端子部に連通するように前記保護カバー本体部における他方の側面に開口された第６開口部と、を備えるチェックターミナル端子部保護カバーに関する。
【０００９】
また、前記代替計量器用端子部は、前記代替計量器からのリード線を挿入して接続するリード線挿入穴を、前記保護カバー本体部の厚み方向における前記変成器用端子部の上面及び前記電力計量器用端子部の上面よりも上方に位置するように有し、前記保護カバー本体部は、該保護カバー本体部の厚み方向における上面の全体が前記リード線挿入穴よりも下方に位置するように構成されることが好ましい。
【００１０】
また、前記端子板は、細長く形成され、前記代替計量器用端子部は、前記代替計量器からのリード線を挿入して接続するリード線挿入穴を、前記保護カバー本体部の厚み方向における前記変成器用端子部の上面及び前記電力計量器用端子部の上面よりも上方に位置するように有し、前記保護カバー本体部は、前記端子板が延びる方向における該保護カバー本体部の端部の上面が前記リード線挿入穴よりも下方に位置するように構成されることが好ましい。
【００１１】
また、前記端子板は、細長く形成され、前記チェックターミナル端子部は、隣接する前記端子板の長手方向の中心部同士を結ぶ中心線に対して対称となるように、前記変成器用端子部及び前記電力計量器用端子部を前記端子板に有すると共に、一対の前記代替計量器用端子部を前記端子板に有し、前記第５開口部及び前記第６開口部は、前記保護カバー本体部の裏面側にも開口され、前記保護カバー本体部は、該保護カバー本体部を前記中心線において二つ折り可能に構成するヒンジ部と、前記端子板が延びる方向における前記保護カバー本体部の一端に設けられ前記第１開口部と連通する第１切り欠き部と、前記端子板が延びる方向における前記保護カバー本体部の他端に設けられ前記第２開口部と連通する第２切り欠き部と、を備えることが好ましい。
【発明の効果】
【００１２】
本発明によれば、チェックターミナルの端子部に代替計量器等のリード線を接続する際に、線間短絡を抑制することができると共に、作業性を向上することができるチェックターミナル端子部保護カバーを提供することができる。
【図面の簡単な説明】
【００１３】
【図１】本発明の第１実施形態のチェックターミナル端子部保護カバー４０を適用するチェックターミナル１０を示す平面図である。
【図２】図１に示すチェックターミナル１０をＡ−Ａ線で切断した断面図である。
【図３】本発明の第１実施形態のチェックターミナル端子部保護カバー４０がチェックターミナル１０に装着された状態を示す平面図である。
【図４】図３に示すチェックターミナル端子部保護カバー４０をＢ−Ｂ線で切断した断面図である。
【図５】図３に示すチェックターミナル端子部保護カバー４０をＣ方向から視た側面図である。
【図６】本発明の第２実施形態のチェックターミナル端子部保護カバー４０Ａがチェックターミナル１０に装着された状態を示す平面図である。
【図７】図６に示すチェックターミナル端子部保護カバー４０ＡをＤ−Ｄ線で切断した断面図である。
【図８】図６に示すチェックターミナル端子部保護カバー４０ＡをＥ方向から視た側面図である。
【図９】本発明の第３実施形態のチェックターミナル端子部保護カバー４０Ｂがチェックターミナル１０に装着された状態を示す平面図である。
【図１０】図９に示すチェックターミナル端子部保護カバー４０ＢをＦ−Ｆ線で切断した断面図である。
【図１１】図９に示すチェックターミナル端子部保護カバー４０ＢをＧ方向から視た側面図である。
【図１２】本発明の第４実施形態のチェックターミナル端子部保護カバー４０Ｃがチェックターミナル１０に装着された状態を示す平面図である。
【図１３】図１２に示すチェックターミナル端子部保護カバー４０ＣをＨ−Ｈ線で切断した断面図である。
【図１４】図１３に示す二つ折りにしたチェックターミナル端子部保護カバー４０ＣをＪ方向から視た側面図である。
【発明を実施するための形態】
【００１４】
〔第１実施形態〕
本発明の第１実施形態のチェックターミナル端子部保護カバー４０は、チェックターミナル１０のチェックターミナル端子部１２を絶縁して保護する部材である。
先ず、本発明の第１実施形態のチェックターミナル端子部保護カバー４０を適用するチェックターミナル１０について図１及び図２を参照しながら説明する。図１は、本発明の第１実施形態のチェックターミナル端子部保護カバー４０を適用するチェックターミナル１０を示す平面図である。図２は、図１に示すチェックターミナル１０をＡ−Ａ線で切断した断面図である。
【００１５】
図１に示すように、チェックターミナル１０は、外箱１１と、外箱１１の内部に設けられたチェックターミナル端子部１２と、を備える。外箱１１は、有底箱状に構成される。外箱１１は、外箱１１の内部に設けられたチェックターミナル端子部１２を蓋部（図示せず）によって密閉可能に構成されている。外箱１１は、変成器（図示せず）からの変成器リード線１６（例えば、７本）が導入可能に構成されていると共に、電力計量器（図示せず）からの電力計量器リード線２１（例えば、７本）が導入可能に構成されている。外箱１１は、合成樹脂（例えば、ＡＢＳ樹脂）による成形体として構成されている。
【００１６】
図１に示すように、チェックターミナル端子部１２は、変成器（図示せず）からの変成器リード線１６、電力計量器（図示せず）からの電力計量器リード線２１及び代替計量器（図示せず）からリード線としての代替計量器リード線２９を接続可能に構成されている。チェックターミナル端子部１２は、基板１３と、端子板１４と、変成器用端子部１５と、電力計量器用端子部２０と、代替計量器用端子部２６と、接栓部３０と、を有する。
【００１７】
図１及び図２に示すように、基板１３は、絶縁材料からなる長方形の板状部材として構成されている。基板１３は、チェックターミナル端子部１２を固定する台として用いられる。基板１３は、ねじ（図示せず）によって外箱１１内に固定されている。
【００１８】
以下の説明においては、図１に示すように、基板１３の横辺が延びる短手方向を「Ｘ方向」と定義し、基板１３の縦辺が延びる長手方向を「Ｙ方向」と定義し、基板１３の厚み方向（図１の紙面に垂直な方向）を「Ｚ方向」と定義する。また、図２等、以下の図示例においては、基板１３の断面のハッチング表示を省略する。
【００１９】
図１及び図２に示すように、端子板１４は、導電性の金属材料からなり、Ｘ方向に細長い直方体状に構成されている。図２に示すように、端子板１４は、端子板１４のＸ方向の中心部において分断されている。端子板１４は、変成器リード線挿入穴１４ａと、電力計量器リード線挿入穴１４ｂと、間隙部１４ｃと、を有する。
【００２０】
図１及び図２に示すように、変成器リード線挿入穴１４ａは、端子板１４の一端側（図１及び図２において左側）の側面に開口され、変成器リード線１６の導体としての先端部１６ａが挿入可能となるように構成されている。電力計量器リード線挿入穴１４ｂは、端子板１４の他端側（図１及び図２において右側）の側面に開口され、電力計量器リード線２１の導体としての先端部２１ａが挿入可能となるように構成されている。間隙部１４ｃは、端子板１４の長手方向の中心部において端子板１４を分断するように構成されている。間隙部１４ｃは、雌ねじとして構成されており、後述の接栓部３０が着脱自在に嵌め込まれる。
【００２１】
このように構成された端子板１４は、図１に示すように、基板１３の上面（Ｘ方向における表面）において、端子板１４の長手方向（Ｘ方向）が基板１３の長手方向（Ｙ方向）に直交するように所定間隔を隔てて並列に７つ配置されている。
【００２２】
図１及び図２に示すように、変成器用端子部１５は、端子板１４の上面（Ｘ方向における表面）の一端側（図１及び図２において左側）に設けられている。変成器用端子部１５は、変成器（図示せず）からの変成器リード線１６（例えば、７本）が接続される導体部である。具体的には、変成器用端子部１５は、金属からなる２つのねじ１５ａ，１５ｂから構成されている。
【００２３】
ねじ１５ａ，１５ｂは、端子板１４の上面の一端側（図１及び図２において左側）に設けられたねじ穴１５ｃ（図２参照）に螺合されている。ねじ１５ａ，１５ｂの先端部は、変成器リード線挿入穴１４ａの内部に突出可能に構成されている。つまり、変成器リード線１６の先端部１６ａは、ねじ１５ａ，１５ｂによって締め付けられ、変成器リード線挿入穴１４ａの内部に固定される。これにより、変成器リード線１６は、端子板１４に電気的に接続される。
【００２４】
図１及び図２に示すように、電力計量器用端子部２０は、端子板１４の上面の他端側（図１及び図２において右側）に設けられている。電力計量器用端子部２０は、電力計量器（図示せず）からの電力計量器リード線２１（例えば、７本）が接続される導体部である。具体的には、電力計量器用端子部２０は、金属からなる２つのねじ２０ａ，２０ｂから構成されている。
【００２５】
ねじ２０ａ，２０ｂは、端子板１４の上面の他端側（図１及び図２において右側）に設けられたねじ穴２０ｃ（図２参照）に螺合されている。ねじ２０ａ，２０ｂの先端部は、電力計量器リード線挿入穴１４ｂの内部に突出可能に構成されている。つまり、電力計量器リード線２１の先端部２１ａは、ねじ２０ａ，２０ｂによって締め付けられ、電力計量器リード線挿入穴１４ｂの内部に固定される。これにより、電力計量器リード線２１は、端子板１４に電気的に接続される。
【００２６】
図１及び図２に示すように、代替計量器用端子部２６は、代替用電力計量器（図示せず）からの代替計量器リード線２９が接続される部分である。つまり、代替計量器用端子部２６は、代替計量器（図示せず）を一時的に接続するときや、試験機材を接続するときに用いられる。
【００２７】
代替計量器用端子部２６は、端子板１４の上面から突出して設けられている。代替計量器用端子部２６は、変成器用端子部１５及び電力計量器用端子部２０にそれぞれ隣接するように１対設けられている。以下においては、説明の便宜上、変成器用端子部１５に隣接して設けられる代替計量器用端子部２６を代替計量器用端子部２６ａとし、電力計量器用端子部２０に隣接して設けられる代替計量器用端子部２６を代替計量器用端子部２６ｂとする。代替計量器用端子部２６ａ，２６ｂは、それぞれ７つずつ設けられている。
【００２８】
具体的には、代替計量器用端子部２６ａは、端子板１４の上面において、変成器用端子部１５よりも端子板１４の長手方向の中央部側に設けられる。代替計量器用端子部２６ａは、図２に示すように、端子板１４に端子板１４から突出して設けられる本体部２７と、本体部２７の上端部（Ｚ方向の先端部）に螺合可能なねじ２８と、を備える。
【００２９】
本体部２７は、導電材料からなる棒状部材（例えば、円柱部材）である。本体部２７は、代替計量器リード線２９の導体としての先端部２９ａを挿入可能な代替計量器リード線挿入穴２７ａと、ねじ２８を螺合可能なねじ穴２７ｂと、を有する。代替計量器リード線挿入穴２７ａは、本体部２７の太さ方向に本体部２７を貫通して設けられている。また、代替計量器リード線挿入穴２７ａは、図２に示すＺ方向において、変成器用端子部１５（ねじ１５ａ，１５ｂの頭部）よりも高い位置に設けられている。ねじ穴２７ｂは、代替計量器リード線挿入穴２７ａと連通するように設けられている。
【００３０】
ねじ２８は、絶縁材料からなる頭部２８ａと、導電材料からなる軸部２８ｂと、から構成されている。頭部２８ａは、指で摘んで回せるように構成されている。軸部２８ｂは、本体部２７のねじ穴２７ｂに螺合可能に構成されている。軸部２８ｂの先端部は、代替計量器リード線挿入穴２７ａの内部に突出可能となっている。
【００３１】
つまり、代替計量器リード線２９の先端部２９ａは、ねじ２８の軸部２８ｂによって締め付けられ、代替計量器リード線挿入穴２７ａの内部に固定される。これにより、代替計量器リード線２９は、端子板１４に電気的に接続される。そのため、変成器（図示せず）と代替計量器（図示せず）とが、端子板１４の変成器用端子部１５及び代替計量器用端子部２６ａを介して電気的に接続される。
【００３２】
代替計量器用端子部２６ｂは、電力計量器用端子部２０よりも端子板１４の長手方向の中央部側に設けられる。代替計量器用端子部２６ｂのその他の構成は、代替計量器用端子部２６ａの構成と同一であるので、代替計量器用端子部２６ａと同一の符号を付して重複説明を省略する。
【００３３】
接栓部３０は、端子板１４における変成器用端子部１５と電力計量器用端子部２０との間の間隙部１４ｃに設けられ、変成器用端子部１５と電力計量器用端子部２０との導通を開通又は解除する部材である。接栓部３０は、絶縁材料からなる取手部３０ａと、導電材料からなる本体部３０ｂと、から構成される。
【００３４】
接栓部３０の本体部３０ｂは、間隙部１４ｃに着脱自在に嵌め込まれる。つまり、接栓部３０の本体部３０ｂを間隙部１４ｃに嵌め込むことで、変成器用端子部１５と電力計量器用端子部２０とが電気的に接続されるようになっている。
一方、電力計量器（例えば、高圧計量器）の交換時のような場合には、接栓部３０を間隙部１４ｃから引き抜くことで、変成器用端子部１５と電力計量器用端子部２０との導通が解除されるようになっている。
【００３５】
以上のように構成されたチェックターミナル端子部１２は、隣接する端子板１４の長手方向（Ｘ方向）の中心部同士（接栓部３０同士）を結ぶ中心線ＣＬに対して対称（図１において左右対称）となるように、変成器用端子部１５と電力計量器用端子部２０とを端子板１４に有している。また、チェックターミナル端子部１２は、中心線ＣＬに対して対称となるように、代替計量器用端子部２６ａと代替計量器用端子部２６ｂとを端子板１４に有している。
【００３６】
次に、本発明の第１実施形態のチェックターミナル端子部保護カバー４０について図３から図５を参照しながら説明する。図３は、本発明の第１実施形態のチェックターミナル端子部保護カバー４０がチェックターミナル１０に装着された状態を示す平面図である。図４は、図３に示すチェックターミナル端子部保護カバー４０をＢ−Ｂ線で切断した断面図である。図５は、図３に示すチェックターミナル端子部保護カバー４０をＣ方向から視た側面図である。
【００３７】
図３から図５に示すように、第１実施形態のチェックターミナル端子部保護カバー４０は、チェックターミナル端子部１２を短絡しにくいように保護する部材である。
チェックターミナル端子部保護カバー４０は、保護カバー本体部４１と、第１開口部４２と、第２開口部４３と、第３開口部４４と、第４開口部４５と、第５開口部４６と、第６開口部４７と、固定部材４９と、を備える。
【００３８】
保護カバー本体部４１は、絶縁材料からなる矩形平板である。保護カバー本体部４１は、チェックターミナル端子部１２の全体を覆うように固定部材４９によって基板１３に着脱自在に装着される。保護カバー本体部４１は、図４に示すように、上面（Ｚ方向における保護カバー本体部４１の外表面）４１ａの全体が代替計量器リード線挿入穴２７ａの位置（高さ）よりも低くなるように構成されている。
【００３９】
第１開口部４２は、保護カバー本体部４１における変成器用端子部１５に対応する位置に矩形状に開口されている。第１開口部４２は、保護カバー本体部４１の厚み方向（Ｚ方向）に貫通して設けられている。第１開口部４２の大きさは、Ｚ方向から視た場合において、変成器用端子部１５の大きさよりも若干大きくなっている。第１開口部４２は、第１開口部４２にドライバー等の工具を通して、ねじ１５ａ，１５ｂを締結したり、緩めたりすることができるように構成されている。第１開口部４２は、変成器リード線１６の先端部１６ａをねじ１５ａ，１５ｂで締結したときに、ねじ１５ａ，１５ｂの頭部が第１開口部４２の外部に突出しないように構成されている。
【００４０】
変成器用端子部１５は、端子板１４において代替計量器用端子部２６ａの近傍に隣接配置されている。そのため、第１開口部４２は、代替計量器用端子部２６ａに対応して設けられる第３開口部４４（後述）と連通して設けられている。この第１開口部４２と第３開口部４４とが連通することによって形成される１つの開口部を、説明の便宜上、変成器側窓部５０と称することもある。
【００４１】
第２開口部４３は、保護カバー本体部４１における電力計量器用端子部２０に対応する位置に矩形状に開口されている。第２開口部４３は、保護カバー本体部４１の厚み方向（Ｚ方向）に貫通して設けられている。第２開口部４３は、第５開口部４６（後述）と連通している。第２開口部４３の大きさは、Ｚ方向から視た場合において電力計量器用端子部２０の大きさよりも若干大きくなっている。第２開口部４３は、第２開口部４３にドライバー等の工具を通して、ねじ２０ａ，２０ｂを締結したり、緩めたりすることができるように構成されている。第２開口部４３は、電力計量器リード線２１の先端部２１ａをねじ２０ａ，２０ｂで締結したときに、ねじ２０ａ，２０ｂの頭部が第２開口部４３の外部に突出しないように構成されている。
【００４２】
電力計量器用端子部２０は、端子板１４において代替計量器用端子部２６ｂの近傍に隣接配置されている。そのため、第２開口部４３は、代替計量器用端子部２６ｂに対応して設けられる第３開口部４４（後述）と連通して設けられている。この第２開口部４３と第３開口部４４とが連通することによって形成される１つの開口部を、説明の便宜上、電力計量器側窓部５１と称することもある。
【００４３】
第３開口部４４は、保護カバー本体部４１における代替計量器用端子部２６ａ，２６ｂに対応するそれぞれの位置に矩形状に開口されている。第３開口部４４は、保護カバー本体部４１の厚み方向（Ｚ方向）に貫通して設けられている。第３開口部４４は、後述の第５開口部４６及び第６開口部４７と連通している。第３開口部４４の大きさは、Ｚ方向から視た場合において、代替計量器用端子部２６ａ，２６ｂの大きさよりも若干大きくなっている。
前述したように、第３開口部４４は、第１開口部４２と連通しており、変成器側窓部５０の一部を構成している。
【００４４】
第４開口部４５は、保護カバー本体部４１における接栓部３０に対応する位置（図１に示す中心線ＣＬに沿った位置）に矩形状に開口されている。第４開口部４５は、７つ全ての接栓部３０を挿通可能な１つの開口部として構成されている。第４開口部４５は、保護カバー本体部４１の厚み方向に貫通して設けられている。第４開口部４５は、接栓部３０の本体部３０ｂが第４開口部４５の内部に収まるように構成されている。
【００４５】
第４開口部４５は、後述の第５開口部４６及び第６開口部４７と連通している。この第４開口部４５を、説明の便宜上、中央窓部４５と称することもある。
【００４６】
第５開口部４６は、保護カバー本体部４１の一方（図３及び図４において左側）の側面に開口されている。第５開口部４６は、チェックターミナル端子部保護カバー４０がチェックターミナル端子部１２に装着された状態において、変成器用端子部１５の変成器リード線挿入穴１４ａに連通する。つまり、第５開口部４６は、変成器リード線１６の先端部１６ａを変成器リード線挿入穴１４ａに挿入可能となるように構成されている。
【００４７】
また、第５開口部４６は、図４及び図５に示すように、保護カバー本体部４１の裏面側にも開口され、端子板１４を上部から覆うことができるように構成されている。第５開口部４６は、第６開口部４７（後述）と連通している。第５開口部４６及び第６開口部４７は、同一の矩形状の断面となっている。
【００４８】
第６開口部４７は、電力計量器用端子部２０の電力計量器リード線挿入穴１４ｂに連通するように、保護カバー本体部４１の他方（図３及び図４において右側）の側面に開口されている。具体的には、第６開口部４７は、電力計量器リード線２１の先端部２１ａを電力計量器リード線挿入穴１４ｂに挿入可能となるように構成されている。
【００４９】
また、第６開口部４７は、図４及び図５に示すように、保護カバー本体部４１の裏面側にも開口され、端子板１４を上部から覆うことができるように構成されている。第６開口部４７は、第５開口部４６と連通している。
【００５０】
固定部材４９は、チェックターミナル端子部保護カバー４０を基板１３に着脱自在に装着する部材である。固定部材４９は、図３及び図５に示すように、保護カバー本体部４１の長手方向（Ｙ方向）の両側面に１対設けられている。固定部材４９は、例えば、板ばね４９ａと、板ばね４９ａを保護カバー本体部４１に固定するねじ４９ｂと、からなる。
【００５１】
板ばね４９ａは、基板１３の側面に設けられた凹部４８（図５参照）に係合可能に構成され、かつ、凹部４８に向けて付勢されるように構成されている。板ばね４９ａは、ねじ４９ｂによって保護カバー本体部４１の長手方向の両側面に固定されている。つまり、チェックターミナル端子部保護カバー４０は、１対の固定部材４９（板ばね４９ａ）によって基板１３を所定の圧力で挟持できるように構成されている。
【００５２】
次に、第１実施形態のチェックターミナル端子部保護カバー４０の使用方法について図１及び図３から図５を参照しながら説明する。
チェックターミナル端子部保護カバー４０は、電力計量器（例えば、高圧計量器）を交換する場合等に使用される。つまり、代替計量器（図示せず）をチェックターミナル端子部１２の代替計量器用端子部２６に一時的に接続する場合等に使用される。
【００５３】
代替計量器（図示せず）をチェックターミナル端子部１２の代替計量器用端子部２６に一時的に接続する場合、従来においては、図１に示すように、代替計量器リード線２９の先端部２９ａを、所定の代替計量器用端子部２６ａの代替計量器リード線挿入穴２７ａに挿入し、ねじ２８で締め付けていた。これにより、代替計量器リード線２９を端子板１４に電気的に接続していた。
【００５４】
しかし、図１及び図２に示すように、変成器用端子部１５や代替計量器用端子部２６ａは、密に配置された端子板１４上に設けられており、変成器用端子部１５や代替計量器用端子部２６ａの本体部２７は、導体部（充電部）が剥き出しになっている。そのため、代替計量器リード線２９の接続作業時には、隣接する端子板１４の変成器用端子部１５や代替計量器用端子部２６ａに代替計量器リード線２９の先端部２９ａが接触してしまい、線間短絡が起こり易かった。
【００５５】
そこで、本実施形態では、代替計量器リード線２９の先端部２９ａを代替計量器リード線挿入穴２７ａに挿入する前に、チェックターミナル端子部保護カバー４０をチェックターミナル端子部１２に装着する。具体的には、図３に示すように、チェックターミナル端子部保護カバー４０の変成器側窓部５０に変成器用端子部１５及び代替計量器用端子部２６ａを位置させると共に、チェックターミナル端子部保護カバー４０の電力計量器側窓部５１に電力計量器用端子部２０及び代替計量器用端子部２６ｂを位置させ、更にチェックターミナル端子部保護カバー４０の中央窓部４５に接栓部３０を位置させる。
【００５６】
この状態で、チェックターミナル端子部保護カバー４０をチェックターミナル端子部１２の基板１３に密着させると、図５に示すように、固定部材４９の板ばね４９ａが基板１３の凹部４８（図５参照）に係合するので、チェックターミナル端子部保護カバー４０がチェックターミナル端子部１２に容易に装着される。
【００５７】
この場合、図３から図５に示すように、全ての変成器用端子部１５をそれぞれの変成器側窓部５０の内部に収めることができる。そのため、代替計量器リード線２９の接続作業中に、代替計量器リード線２９の先端部２９ａが、隣接する変成器用端子部１５に不用意に接触し、線間短絡することを抑制することができる。
【００５８】
また、接栓部３０を間隙部１４ｃから引き抜くことで、変成器用端子部１５と電力計量器用端子部２０との導通が解除されるので、既設の電力計量器（図示せず）を新規なものと交換することができる。
【００５９】
以上のように、第１実施形態のチェックターミナル端子部保護カバー４０によれば、以下に示す各効果が奏される。
第１実施形態のチェックターミナル端子部保護カバー４０は、チェックターミナル端子部１２の全体を覆うように基板１３に装着される保護カバー本体部４１と、変成器用端子部１５に対応する位置に開口された第１開口部４２と、電力計量器用端子部２０に対応する位置に開口された第２開口部４３と、代替計量器用端子部２６に対応する位置に開口された第３開口部４４と、接栓部３０に対応する位置に開口された第４開口部４５と、変成器用端子部１５に連通するように開口された第５開口部４６と、電力計量器用端子部２０に連通するように開口された第６開口部４７と、を備える。
【００６０】
そのため、変成器用端子部１５を第１開口部４２（変成器側窓部５０）の内部に収めることができる。これにより、代替計量器リード線２９の接続作業中に、代替計量器リード線２９の先端部２９ａが、隣接する端子板１４の変成器用端子部１５に不用意に接触し、線間短絡することを容易に抑制することができる。従って、作業員は、代替計量器リード線２９の接続作業を迅速に行うことができ、作業効率を向上することができる。
【００６１】
また、第１開口部４２を設けたことにより、変成器用端子部１５のねじ１５ａ，１５ｂの締結状態を容易に確認することができる。
【００６２】
また、第２開口部４３（電力計量器側窓部５１）を設けたことにより、電力計量器用端子部２０を第２開口部４３の内部に収めることができる。そのため、代替計量器リード線２９の接続作業中に、代替計量器リード線２９の先端部２９ａが、隣接する端子板１４の電力計量器用端子部２０に不用意に接触し、線間短絡することを抑制することができる。
【００６３】
また、第２開口部４３を設けたことにより、電力計量器用端子部２０のねじ２０ａ，２０ｂの締結状態を容易に確認することができる。
【００６４】
また、第３開口部４４（変成器側窓部５０）を設けたことにより、代替計量器用端子部２６ａの本体部２７の一部（下部）を第３開口部４４の内部に収めることができ、導電部（充電部）の露出を減らすことができる。そのため、代替計量器リード線２９の接続作業中に、代替計量器リード線２９の先端部２９ａが、隣接する端子板１４の代替計量器用端子部２６ａの本体部２７に不用意に接触し、線間短絡することを抑制することができる。
【００６５】
また、第４開口部４５を設けたことにより、接栓部３０の本体部３０ｂを第４開口部４５の内部に収めることができる。そのため、代替計量器リード線２９の接続作業中に、代替計量器リード線２９の先端部２９ａが、隣接する端子板１４の接栓部３０の本体部３０ｂに不用意に接触し、線間短絡することを抑制することができる。
【００６６】
また、第１開口部４２及び第３開口部４４は、１つの変成器側窓部５０として構成されている。そのため、保護カバー本体部４１に容易に設けることができる。
【００６７】
また、第２開口部４３及び第３開口部４４は、１つの電力計量器側窓部５１として構成されている。そのため、保護カバー本体部４１に容易に設けることができる。
【００６８】
また、第５開口部４６は、変成器用端子部１５の変成器リード線挿入穴１４ａに連通するように、保護カバー本体部４１の一方（図３及び図４において左側）の側面に開口されている。そのため、チェックターミナル端子部保護カバー４０をチェックターミナル端子部１２に装着した状態において、第５開口部４６を介して、変成器リード線１６の先端部１６ａを変成器リード線挿入穴１４ａに容易に挿入し、又は変成器リード線１６の先端部１６ａを変成器リード線挿入穴１４ａから容易に抜き取ることができる。
【００６９】
また、第６開口部４７は、電力計量器用端子部２０の電力計量器リード線挿入穴１４ｂに連通するように保護カバー本体部４１の他方（図３及び図４において右側）の側面に開口されている。そのため、チェックターミナル端子部保護カバー４０をチェックターミナル端子部１２に装着した状態において、第６開口部４７を介して、電力計量器リード線２１の先端部２１ａを電力計量器リード線挿入穴１４ｂに容易に挿入することができる。また、チェックターミナル端子部保護カバー４０をチェックターミナル端子部１２に装着した状態において、第６開口部４７を介して、電力計量器リード線２１の先端部２１ａを電力計量器リード線挿入穴１４ｂから容易に抜き取ることができる。
【００７０】
また、保護カバー本体部４１は、保護カバー本体部４１の上面４１ａ全体が代替計量器リード線挿入穴２７ａよりも下方に位置するように構成されている。そのため、代替計量器リード線２９の先端部２９ａを代替計量器リード線挿入穴２７ａに挿入する際に、保護カバー本体部４１の上面４１ａが邪魔にならず、隣接する変成器用端子部１５との不用意な線間短絡を抑制しつつ、作業性を向上することができる。
【００７１】
また、チェックターミナル端子部保護カバー４０は、固定部材４９を更に備える。そのため、チェックターミナル端子部保護カバー４０を基板１３に容易に着脱することができ、作業性を向上することができる。
【００７２】
次に、本発明の他の実施形態について説明する。他の実施形態については、主として、第１実施形態とは異なる点を中心に説明し、第１実施形態と同様の構成については、同じ符号を付し、詳細な説明を省略する。他の実施形態において特に説明しない点は、第１実施形態についての説明が適宜適用又は援用される。
【００７３】
〔第２実施形態〕
図６から図８を参照して、本発明の第２実施形態のチェックターミナル端子部保護カバー４０Ａについて説明する。図６は、本発明の第２実施形態のチェックターミナル端子部保護カバー４０Ａがチェックターミナル１０に装着された状態を示す平面図である。図７は、図６に示すチェックターミナル端子部保護カバー４０ＡをＤ−Ｄ線で切断した断面図である。図８は、図６に示すチェックターミナル端子部保護カバー４０ＡをＥ方向から視た側面図である。
【００７４】
第２実施形態のチェックターミナル端子部保護カバー４０Ａの保護カバー本体部４１は、保護カバー本体部４１のＸ方向両端部における上面（Ｚ方向における保護カバー本体部４１の外表面）４１ａが、代替計量器用端子部２６の代替計量器リード線挿入穴２７ａよりも下方に位置するように構成されている。具体的には、図７に示すように、保護カバー本体部４１は、断面の外形が略凸状となるように構成されている。保護カバー本体部４１は、第１開口部４２と第３開口部４４との間に沿って形成された段部４１ｂと、第２開口部４３と第３開口部４４との間に沿って形成された段部４１ｃと、段部４１ｂと段部４１ｃとの間に位置する上面４１ｄと、を有する。
【００７５】
図７に示すように、保護カバー本体部４１におけるＸ方向中央部の上面（Ｚ方向における保護カバー本体部４１の外表面）４１ｄは、保護カバー本体部４１におけるＸ方向端部の上面４１ａよりも、Ｚ方向において上方に位置している。段部４１ｂ及び段部４１ｃは、保護カバー本体部４１の上面４１ａからＺ方向に向けて立ち上がる部分である。段部４１ｂ，４１ｃの上端部は、代替計量器用端子部２６の本体部２７の上端部よりも若干高くなっている。つまり、段部４１ｂ，４１ｃの高さは、代替計量器用端子部２６の導電性を有する本体部２７（充電部）が第３開口部４４の内部に収まるように設定されている。
【００７６】
第２実施形態のチェックターミナル端子部保護カバー４０Ａの使用方法は、第１実施形態のチェックターミナル端子部保護カバー４０の使用方法と同様であるので、重複説明を省略する。
【００７７】
以上のように、第２実施形態のチェックターミナル端子部保護カバー４０Ａによれば、以下に示す各効果が奏される。
【００７８】
第２実施形態のチェックターミナル端子部保護カバー４０Ａの保護カバー本体部４１は、保護カバー本体部４１のＸ方向両端部の上面４１ａが代替計量器用端子部２６の代替計量器リード線挿入穴２７ａよりも下方に位置するように構成されている。そのため、代替計量器リード線２９の先端部２９ａを代替計量器リード線挿入穴２７ａに挿入する際に、保護カバー本体部４１の上面４１ａが邪魔にならないので、作業性を向上することができる。
【００７９】
また、保護カバー本体部４１は、段部４１ｂ，４１ｃを備え、段部４１ｂ，４１ｃの高さは、代替計量器用端子部２６の導電性を有する本体部２７が第３開口部４４の内部に収まるように設定されている。そのため、代替計量器リード線２９の先端部２９ａを代替計量器リード線挿入穴２７ａに挿入する際に、隣接する代替計量器用端子部２６との不用意な線間短絡を更に抑制することができる。
【００８０】
〔第３実施形態〕
図９から図１１を参照して、本発明の第３実施形態のチェックターミナル端子部保護カバー４０Ｂについて説明する。図９は、本発明の第３実施形態のチェックターミナル端子部保護カバー４０Ｂがチェックターミナル１０に装着された状態を示す平面図である。図１０は、図９に示すチェックターミナル端子部保護カバー４０ＢをＦ−Ｆ線で切断した断面図である。図１１は、図９に示すチェックターミナル端子部保護カバー４０ＢをＧ方向から視た側面図である。
【００８１】
第３実施形態のチェックターミナル端子部保護カバー４０Ｂの保護カバー本体部４１は、図１０に示すように、前記第２実施形態の保護カバー本体部４１の上面４１ｄ（図７参照）における板厚と同様の板厚で全体を構成されている。つまり、Ｚ方向における変成器側窓部５０の深さ及び電力計量器側窓部５１の深さは、前記第１実施形態の場合よりも深くなっている。
【００８２】
また、保護カバー本体部４１は、図９及び図１０に示すように、切り欠き部５５と、切り欠き部５６と、を有する。切り欠き部５５は、保護カバー本体部４１におけるＸ方向の一端（図９及び図１０において左側）に、第１開口部４２と連通するように設けられている。つまり、切り欠き部５５は、変成器側窓部５０と連通している。切り欠き部５６は、保護カバー本体部４１におけるＸ方向の他端（図９及び図１０において右側）に、第２開口部４３と連通するように設けられている。つまり、切り欠き部５６は、電力計量器側窓部５１と連通している。
【００８３】
第３実施形態のチェックターミナル端子部保護カバー４０Ｂの使用方法は、第１実施形態のチェックターミナル端子部保護カバー４０の使用方法と同様であるので、重複説明を省略する。
【００８４】
以上のように、第３実施形態のチェックターミナル端子部保護カバー４０Ｂによれば、以下に示す各効果が奏される。
【００８５】
第３実施形態のチェックターミナル端子部保護カバー４０Ｂの保護カバー本体部４１は、前記第２実施形態の保護カバー本体部４１の上面４１ｄ（図７参照）における板厚と同様の板厚で全体を構成され、第１開口部４２と連通する切り欠き部５５と、第２開口部４３と連通する切り欠き部５６と、を有する。そのため、代替計量器リード線２９の先端部２９ａを代替計量器用端子部２６ａの代替計量器リード線挿入穴２７ａに挿入する際に、切り欠き部５５及び第１開口部４２を介して挿入することができる。従って、保護カバー本体部４１の上面４１ｄが邪魔にならないので、作業性を向上することができる。また、切り欠き部５６及び第２開口部４３を介して、所定のリード線の先端部（図示せず）を代替計量器用端子部２６ｂの代替計量器リード線挿入穴２７ａに挿入する際にも、同様の効果を奏することができる。
【００８６】
Ｚ方向における変成器側窓部５０の深さ及び電力計量器側窓部５１の深さは、前記第１実施形態の場合よりも深くなっている。そのため、変成器用端子部１５及び代替計量器用端子部２６を変成器側窓部５０の内部に収めることができると共に、電力計量器用端子部２０及び代替計量器用端子部２６を電力計量器側窓部５１の内部に収めることができる。従って、代替計量器リード線２９の代替計量器用端子部２６への接続作業中に、代替計量器リード線２９の先端部２９ａが、隣接する端子板１４の変成器用端子部１５や代替計量器用端子部２６に不用意に接触し、線間短絡することを抑制することができる。
【００８７】
〔第４実施形態〕
図１２から図１４を参照して、本発明の第４実施形態のチェックターミナル端子部保護カバー４０Ｃについて説明する。図１２は、本発明の第４実施形態のチェックターミナル端子部保護カバー４０Ｃがチェックターミナル１０に装着された状態を示す平面図である。図１３は、図１２に示すチェックターミナル端子部保護カバー４０ＣをＨ−Ｈ線で切断した断面図である。図１４は、図１３に示す二つ折りにしたチェックターミナル端子部保護カバー４０ＣをＪ方向から視た側面図である。
【００８８】
前述したように、チェックターミナル端子部１２は、中心線ＣＬに対して対称（図１において左右対称）となるように、変成器用端子部１５と電力計量器用端子部２０とを端子板１４に有している。また、チェックターミナル端子部１２は、中心線ＣＬに対して対称となるように、代替計量器用端子部２６ａと代替計量器用端子部２６ｂとを端子板１４に有している。
【００８９】
第４実施形態のチェックターミナル端子部保護カバー４０Ｃの保護カバー本体部４１は、図１３に示すように、前記第１実施形態のチェックターミナル端子部保護カバー４０の保護カバー本体部４１（図４参照）と同一の厚みを有している。また、第５開口部４６及び第６開口部４７は、保護カバー本体部４１の裏面側にも開口されている。
【００９０】
図１２に示すように、チェックターミナル端子部保護カバー４０Ｃの保護カバー本体部４１は、ヒンジ部６０と、第１切り欠き部６２と、第２切り欠き部６３と、を備える。ヒンジ部６０は、図１３に示すように、保護カバー本体部４１を中心線ＣＬにおいて二つ折り可能に構成するものである。
【００９１】
第１切り欠き部６２は、保護カバー本体部４１におけるＸ方向の一端（図１２及び図１３において左端）に設けられ、第１開口部４２（変成器側窓部５０）と連通する。第２切り欠き部６３は、保護カバー本体部４１におけるＸ方向の他端（図１２及び図１３において右端）に設けられ、第２開口部４３（計量器側窓部５１）と連通する。
【００９２】
また、固定部材４９は、図１２に示すように、保護カバー本体部４１におけるＹ方向の両側面にそれぞれ１対ずつ設けられている。
【００９３】
次に、第４実施形態のチェックターミナル端子部保護カバー４０Ｃの使用方法について図１２から図１４を参照しながら説明する。
チェックターミナル端子部保護カバー４０Ｃの基板１３への装着方法は、前記第１実施形態の場合と同様である。異なる点は、代替計量器リード線２９の先端部２９ａを代替計量器用端子部２６ａに接続する場合に、図１３に示すように、先ず、保護カバー本体部４１を、互いの上面４１ａ同士が重なるようにヒンジ部６０において二つ折りにする点である。
【００９４】
この場合、図１３に示すように、第１切り欠き部６２に第２切り欠き部６３が重なり、この重なった部分に更に第６開口部４７が重なり、所定の空間が形成される。そのため、代替計量器用端子部２６ａは、この所定の空間の内部に収まる。従って、隣接する端子板１４に対して充電部の露出が大幅に減少する。
【００９５】
以上のように、第４実施形態のチェックターミナル端子部保護カバー４０Ｃによれば、以下に示す各効果が奏される。
【００９６】
第４実施形態のチェックターミナル端子部保護カバー４０Ｃの保護カバー本体部４１は、前記第１実施形態の保護カバー本体部４１の構成に加え、更に、保護カバー本体部４１を中心線ＣＬにおいて二つ折り可能に構成するヒンジ部６０と、第１開口部４２（変成器側窓部５０）と連通する第１切り欠き部６２と、第２開口部４３（計量器側窓部５１）と連通する第２切り欠き部６３と、を備える。そのため、保護カバー本体部４１をヒンジ部６０において二つ折りにすることにより、第１切り欠き部６２、第２切り欠き部６３及び第６開口部４７が重なって、所定の空間が形成される。従って、この所定の空間を、代替計量器リード線２９の接続作業時の空間として利用できるため、作業性を向上することができる。
【００９７】
また、代替計量器用端子部２６ａは、前記所定の空間の内部に収まり、隣接する端子板１４に対して充電部の露出が大幅に減少する。そのため、代替計量器リード線２９の先端部２９ａを代替計量器リード線挿入穴２７ａに挿入する際に、隣接する端子板１４の変成器用端子部１５や代替計量器用端子部２６ａとの不用意な線間短絡を抑制することができる。
【００９８】
また、保護カバー本体部４１は、ヒンジ部６０において二つ折りにすることができる。そのため、保護カバー本体部４１を未使用時に折り畳むことによって、チェックターミナル端子部保護カバー４０Ｃの携帯性を向上させることができる。
【００９９】
以上、本発明の一実施形態について説明したが、本発明は、前述した実施形態に制限されるものではなく、適宜変更が可能である。
例えば、前記第１実施形態から第４実施形態においては、第１開口部４２及び第３開口部４４が互いに連通するとしたが、これに制限されない。第１開口部４２と第３開口部４４は、互いに連通せずに、保護カバー本体部４１にそれぞれ独立して設けられてもよい。また、第２開口部４３及び第３開口部４４が互いに連通するとしたが、これに制限されない。第２開口部４３と第３開口部４４は、互いに連通せずに、保護カバー本体部４１にそれぞれ独立して設けられてもよい。
【０１００】
また、第４開口部４５は、全ての接栓部３０を挿通可能となるように１つの開口部（中央窓部４５）として構成されるとしたが、これに制限されない。例えば、第４開口部４５を、それぞれの接栓部３０を個別に挿通するように複数設けてもよい。
【符号の説明】
【０１０１】
１０  チェックターミナル
１２  チェックターミナル端子部
１３  基板
１４  端子板
１５  変成器用端子部
２０  電力計量器用端子部
２６，２６ａ，２６ｂ  代替計量器用端子部
２７ａ  代替計量器リード線挿入穴（リード線挿入穴）
２９  代替計量器リード線（リード線）
３０  接栓部
４０，４０Ａ，４０Ｂ，４０Ｃ  チェックターミナル端子部保護カバー
４１  保護カバー本体部
４１ａ  上面
４２  第１開口部
４３  第２開口部
４４  第３開口部
４５  第４開口部
４６  第５開口部
４７  第６開口部
６０  ヒンジ部
６２  第１切り欠き部
６３  第２切り欠き部
ＣＬ  中心線
【図１】
2011082119.tif 000003
【図２】
2011082119.tif 000004
【図３】
2011082119.tif 000005
【図４】
2011082119.tif 000006
【図５】
2011082119.tif 000007
【図６】
2011082119.tif 000008
【図７】
2011082119.tif 000009
【図８】
2011082119.tif 000010
【図９】
2011082119.tif 000011
【図１０】
2011082119.tif 000012
【図１１】
2011082119.tif 000013
【図１２】
2011082119.tif 000014
【図１３】
2011082119.tif 000015
【図１４】
2011082119.tif 000016